(57)【要約】  【課題】樹脂製の引手後付けタイプのスライダーで、引手装着後、引手を如何なる方向へ引張っても胴体の後口側の口径に影響を与えないスライダーを提供する。  【解決手段】引手取付杆１１は、上翼板２の後口９側から肩口８に向けて片持状に設け、先端部１３に係止部１６を設け、胴体１の肩口８に被係止部２０を設けて双方を係止可能に形成し、引手取付杆１１の基部１２から肩口８に向けて上翼板２に凹部２１を設け、上翼板２と基部１２との間に間隙部１４を形成し、この間隙部１４により上翼板２に基部１２と分離した第１上翼板部分２ａと、基部１２から肩口８側に配され、基部１２と連結する第２上翼板部分２ｂとを形成し、引手取付杆１１に引手３０を装着し係止した後、引手３０を如何に操作しても、胴体１の後口９の口径Ｈを拡開する弊害をなくしチエン割れを防いだスライダーである。  【選択図】図２
2008200277.tif 000002
【特許請求の範囲】
【請求項１】
上下に対向して配置した上翼板２と下翼板３とを肩口８側にて案内柱４で連結した胴体１と、胴体１の上翼板２の上面に立設され、胴体１の後口９側から肩口８側へ向けて片持状に延びる引手取付杆１１とを備えた樹脂製のスライドファスナー用スライダーにおいて、引手取付杆１１は、胴体１の上翼板２から突出する基部１２と、胴体１の肩口８側へ向けて延びる先端部１３とを有し、上翼板２に配設した基部１２の周辺に凹部２１を設けることにより、上翼板２との間に間隙部１４を形成し、先端部１３に形成した係止部１６と胴体１の肩口８側に形成した被係止部２０とを係止可能に形成したことを特徴とする引手後付けタイプのスライドファスナー用スライダー。
【請求項２】
凹部２１は、基部１２の左右両側と下側とに連続して形成するとともに、胴体１の後口９から肩口８側へ向けて延設し、基部１２は肩口８側において上翼板２と連結してなる請求項１記載のスライドファスナー用スライダー。
【請求項３】
上翼板２は、基部１２の左右両側および下側とに配置された間隙部１４により、基部１２と分離した第１上翼板部分２ａと、基部１２よりも肩口８側に配置され、基部１２と連結する第２上翼板部分２ｂとを有し、第２上翼板部分２ｂの左右両側および下側にも間隙部１４が形成されてなる請求項２記載のスライドファスナー用スライダー。
【請求項４】
係止部１６は、引手取付杆１１の先端部１３に設けたフック部１８から形成し、被係止部２０は、胴体１の上翼板２の肩口８側から突出し、先端にフック部２３を備えた突片２２を凹陥部１５の上面に架設して形成し、係止部１６と被係止部２０とが係止したとき、フック部１８が案内柱４の上面に形成した凹陥部１５内に挿入されてなる請求項１記載のスライドファスナー用スライダー。
【請求項５】
引手取付杆１１は、先端部１３よりも基部１２側に形成された突起部１７を有し、突起部１７は、係止部１６と被係止部２０とが係止したとき、突片２２よりも後口９側に位置し、突片２２と胴体１の前後方向に対面して配されてなる請求項４記載のスライドファスナー用スライダー。
【請求項６】
被係止部２０の突片２２における突起部１７と接する面にフック状に形成した第２被係止部２４を設け、突起部１７における突片２２と接する面にフック状に形成した第２係止部１９を設け、第２被係止部２４と第２係止部１９とが係止可能に形成してなる請求項５記載のスライドファスナー用スライダー。
【発明の詳細な説明】
【技術分野】
【０００１】
この発明は、引手取付杆が可撓性を備え、引手取付杆が一体成形された樹脂製のスライダー胴体に対し、衣服、カバンなどを取り扱う業者が、自由かつ希望するデザイン、ブランドの引手を後付け工程で簡単にスライダー胴体へ取り付けることができる引手後付けタイプのスライドファスナー用スライダーである。
【背景技術】
【０００２】
従来、予め成形しておいたスライダー胴体に対し、引手を後から取り付けることができるように形成した樹脂製のスライドファスナー用スライダーとして、図６に示すように、可撓性を備えた取付用アームをスライダー胴体の肩口側における案内柱の上面から片持状に突出させ、このアームの先端に断面形状が矢形状を呈する係合溝を設け、胴体の後口側における上翼板の上面にアームの先端に設けた係合溝に嵌合できる断面形状が傘形状の係止片を突設し、アームの先端と係止片との間の間隙から引手の軸部を挿入した後、係合溝と係止片とを嵌合させることによりアーム先端と係止して、間隙が閉鎖され、引手の軸部がアームから抜脱不能とすることが知られている。
【０００３】
また、引手を後から取り付けることができるように形成した樹脂製のスライドファスナー用スライダーとして、図７に示すように、可撓性を備えた引手保持枠を胴体の肩口側における案内柱の上面から片持状に突出させ、引手保持枠の先端にフック状の鉤部を形成し、胴体の後口側における上翼板の上面に台形の突起を突設し、この突起の下面からスライダー胴体の後口にかけて嵌合溝を設け、鉤部と突起との間の間隙から引手の軸部を差し込んだ後、鉤部を嵌合溝内へ嵌合させることにより鉤部と突起とが係止して、間隙が閉鎖され、引手の軸部が引手保持枠から抜脱不能とすることが知られている。
【特許文献１】実開平２−９８７０９号公報
【特許文献２】特公平３−３１４４１号公報
【発明の開示】
【発明が解決しようとする課題】
【０００４】
前項で述べた図６に示す引手後付けタイプのスライドファスナー用スライダーは、ファスナーチエンを閉鎖させるべく、引手取付用アームに取り付けられた引手を把持して、スライダーの前方すなわち肩口側へ向けて引張ったとき、引張り力が上方からアームに加わって、アームの先端すなわちスライダー胴体の後口側の係止部分を持ち上げようとする作用が働き、その結果スライダー胴体の上翼板の後口側が持ち上げられ、上翼板と下翼板との間隙すなわちスライダー胴体における口径が拡開して、左右のファスナーエレメントが噛み合わない状態すなわちチエン割れ現象を惹起する。またアームの先端と係止片とはスライダーの上下方向に係止する構造であり、横方向には何ら係止する構造を備えていないことから、アームに横方向の引張り力が加わると、アームの先端が横方向へスライドして、係合溝と係止片との嵌合が外れる恐れがあるなど問題点がある。
【０００５】
また図７に示す引手後付けタイプのスライドファスナー用スライダーは、引手を把持してファスナーチエンを閉鎖する方向へ引手操作を行ったとき、引手を上方へ引張ることによってアームの先端を持ち上げようとする作用が働き、これによりスライダー胴体の後口側の上翼板が持ち上げられ、上翼板と下翼板との間の口径が拡開して、チエン割れ現象を惹起する。また、ファスナーチエンを開放させるべく引手をスライダーの後方すなわち後口側へ引張ったとき、引張り力が鉤部におけるフックの向きとは逆方向に加わり、鉤部と突起との係止を外れさせようとする作用が働いて、係止状態が解除され、引手取付枠から引手が脱落してしまう恐れがあるなどの問題点がある。
【０００６】
この発明は、上述の問題点を考慮して発明されたものであり、この発明のうち請求項１記載の発明は、樹脂製の引手後付けタイプのスライドファスナー用スライダーにおいて、引手の操作によって引手取付杆にいかなる張力が働いても、引手取付杆の基部と胴体の上翼板における後口側部分との間に間隙部を設置することによって、胴体の後口において上翼板と下翼板とによって形成されるガイド溝の口径の高さ寸法が拡開することを未然に防ぎ、スライドファスナーにおけるチエン割れ現象を惹起しない引手後付けタイプの樹脂製のスライドファスナー用スライダーを提供することが主たる目的である。
【０００７】
請求項２および３記載の発明は、それぞれ請求項１記載の発明の目的に加え、引手取付杆の基部と上翼板との間に間隙部を形成するための形態を具体的に特定し、引手取付杆からの張力が胴体の上翼板の後口側部分に加わり難い引手後付けタイプのスライドファスナー用スライダーを提供することが目的である。
【０００８】
請求項４，５および６記載の発明は、それぞれ請求項１記載の発明の目的に加え、引手取付杆の先端部に設けた係止部と胴体の肩口側に設けた被係止部の形態を具体的に特定し、係止部と被係止部の係止が強固になされ、さらに引手取付杆に設けた突起部と胴体の上面に設けた突片とを強固に係止させ、引手取付杆に取り付けられた引手を胴体の肩口側へ向けて引張ったときに、引張り力が引手取付杆の先端部を胴体へ接近させる方向に働いて、より強固な係止状態が維持される引手後付けタイプのスライドファスナー用スライダーを提供することが目的である。
【課題を解決するための手段】
【０００９】
前記の目的を達成するため、この発明のうち請求項１記載の発明は、上下に対向して配置した上翼板２と下翼板３とを肩口８側すなわち胴体１の前方側において案内柱４で連結した胴体１と、胴体１の上翼板２の上面に立設され、胴体１の後口９側すなわち後方側から肩口８側へ向けて片持状に延びる引手取付杆１１とを備えた樹脂製のスライドファスナー用スライダーにおいて、引手取付杆１１は、胴体１の上翼板２から上方へ突出する基部１２と、胴体１の肩口８側へ向けて延び、先端に先端部１３を有し、上翼板２上における基部１２の周辺に凹部２１を設けることによって、上翼板２と基部１２との間に間隙部１４を形成し、先端部１３に形成した係止部１６と胴体１の肩口８側に形成した被係止部２０とを係止可能に形成した引手後付けタイプのスライドファスナー用スライダーを主な構成とするものである。
【００１０】
請求項２記載の発明は、請求項１記載の発明の構成に加え、凹部２１は、基部１２の左右両側と下側において連続した形で形成するとともに、胴体１の後口９から肩口８側へ向けて延設する形に形成し、基部１２は肩口８側において上翼板２と連結した引手後付けタイプのスライドファスナー用スライダーである。
【００１１】
請求項３記載の発明は、請求項２記載の発明の構成に加え、上翼板２は、基部１２の左右両側および下側とに配置された間隙部１４によって、基部１２と分離した第１上翼板部分２ａと、基部１２よりも肩口８側に配置され、基部１２と連結する第２上翼板部分２ｂとを有し、第２上翼板部分２ｂの左右両側および下側にも間隙部１４が形成された引手後付けタイプのスライドファスナー用スライダーである。
【００１２】
請求項４記載の発明は、請求項１記載の発明の構成に加え、係止部１６は、引手取付杆１１の先端部１３に設けたフック部１８から形成し、被係止部２０は、胴体１の上翼板２の肩口８側から突出し、先端にフック部２３を備えた突片２２を凹陥部１５の上面に架橋状に設けて形成し、係止部１６と被係止部２０とが係止したとき、フック部１８が案内柱４の上面に形成した凹陥部１５内に挿入された引手後付けタイプのスライドファスナー用スライダーである。
【００１３】
請求項５記載の発明は、請求項４記載の発明の構成に加え、引手取付杆１１は、先端部１３よりも基部１２側に形成された突起部１７を有し、突起部１７は、係止部１６と被係止部２０とが係止したとき、突片２２よりも後口９側に位置し、突片２２と胴体１の前後方向に対面して配された引手後付けタイプのスライドファスナー用スライダーである。
【００１４】
請求項６記載の発明は、請求項５記載の発明の構成に加え、突片２２は、突起部１７と接する面にフック状に形成した第２被係止部２４を設け、突起部１７は、突片２２と接する面にフック状に形成した第２係止部１９を設け、第２被係止部２４と第２係止部１９とが係止できるように形成した引手後付けタイプのスライドファスナー用スライダーである。
【発明の効果】
【００１５】
この出願の発明の効果として、請求項１記載の発明は、上下に対向して配置した上翼板と下翼板とを肩口側にて案内柱で連結した胴体と、胴体の上翼板の上面に立設され、胴体の後口側から肩口側へ向けて片持状に延びる引手取付杆とを備えた樹脂製のスライドファスナー用スライダーにおいて、引手取付杆は、胴体の上翼板から突出する基部と、胴体の肩口側へ向けて延びる先端部とを有し、上翼板に配設した基部の周辺に凹部を設けることにより、上翼板との間に間隙部を形成し、先端部に形成した係止部と胴体の肩口側に形成した被係止部とを係止可能としたことによって、下記の効果を奏するものである。
【００１６】
引手取付杆に取り付けた引手の引張り操作によって、引手取付杆は胴体に対して撓み変形するものの、引手取付杆と連結する上翼板は撓み変形することがなく、胴体の後口における上翼板と下翼板との間に形成されるガイド溝の口径が拡開することを未然に防ぎ、スライダーの摺動時にファスナーエレメントが噛み合わない状態、すなわちチエン割れ現象を惹起することがない引手後付けタイプのスライドファスナー用スライダーに仕上げることができる効果がある。
【００１７】
請求項２記載の発明は、請求項１記載の発明の効果に加え、凹部は、基部の左右両側と下側とに連続して形成するとともに、胴体の後口側から肩口側へ向けて延設し、基部は肩口側において上翼板と連結したことによって、引手取付杆に加わった張力が、基部の左右および下方から上翼板に伝わり難く、胴体の後口側における上翼板の撓み変形を確実に防止できる効果がある。
【００１８】
請求項３記載の発明は、請求項２記載の発明の効果に加え、上翼板は、基部の左右両側および下側とに配置された間隙部により、基部と分離した第１上翼板部分と、基部よりも肩口側に配置され、基部と連結する第２上翼板部分とを有し、第２上翼板部分の左右両側および下側にも間隙部が形成されたことによって、引手取付杆を引張り上げようとする力が加わったとき、この力が上翼板に加わる部分を、引手取付杆の基部よりも胴体の肩口側により接近した位置に配することができ、胴体の後口側の上翼板に張力がより伝わり難くすることができる効果がある。
【００１９】
請求項４記載の発明は、請求項１記載の発明の効果に加え、係止部は、引手取付杆の先端部に設けたフック部から形成し、被係止部は、胴体の上翼板の肩口側から突出し、先端にフック部を備えた突片を凹陥部の上面に架設して形成し、係止部と被係止部とが強固に係止するとともに、フック部が案内柱の上面に形成した凹陥部内に挿入されることによって、係止部と被係止部とが係止状態にあるとき、引手取付杆に横方向への引張り力が加わっても、フック部が左右方向へ位置ずれしようとする作用を凹陥部の側壁が防ぎ、係止状態が解除されることがない効果がある。
【００２０】
請求項５記載の発明は、請求項４記載の発明の効果に加え、引手取付杆は、先端部よりも基部側に形成された突起部を有し、突起部は係止部と被係止部とが係止したとき、突片よりも後口側に位置し、突片と胴体の前後方向に対面して配されることによって、引手を引張ったとき、引手の軸部が引手取付杆の先端部に接することなく、突起部に接するので、軸部と突起部との接点を中心として、先端部を体へ接近させようとする回転力が働き、係止部と被係止部との係止をより強固な状態にすることができる効果がある。
【００２１】
請求項６記載の発明は、請求項５記載の発明の効果に加え、突片は、突起部と接する面にフック状に形成した第２被係止部を設け、突起部は、突片と接する面にフック状に形成した第２係止部を設け、第２被係止部と第２係止部とが係止可能に形成したことによって、引手取付杆の先端部を胴体の上面に凹設した凹陥部に係止するため、二段階で係止手段を形成し、引手取付杆を強固に胴体の上面に固定し、如何なる使用態様にも耐え得る引手後付けタイプのスライドファスナー用スライダーに仕上げることができる効果があるなど、この発明が奏する効果はきわめて顕著である。
【発明を実施するための最良の形態】
【００２２】
この発明における引手後付けタイプのスライドファスナー用スライダーは、樹脂製で、図１〜４に示すように、内部にファスナーエレメントが挿通可能なガイド溝６を備えた胴体１と、胴体１の上面に立設され、引手３０が取り付けられる引手取付杆１１とが一体に成形されている。胴体１は、上下に所定の間隔を空けて対向して配置された上翼板２と下翼板３とを肩口８側で案内柱４によって連結し、上翼板２と下翼板３との間にガイド溝６を形成されている。引手取付杆１１は、胴体１の後口９側から肩口８側へ向けて片持状に形成されており、胴体１の上翼板２に連結された基部１２と、基部１２から延出した先端部１３とを有している。この先端部１３は、胴体１とは連結せず、上翼板２の上面との間に引手３０の軸部３１が挿入可能な間隙を形成するように配置された自由端部となっている。この間隙から引手３０の軸部３１を挿入し、引手３０を引手取付杆１１に引っ掛けた後、先端部１３を上翼板２の上面に接近させて間隙を閉鎖する方向へ引手取付杆１１を変形させ、先端部１３を胴体１に係止させることにより、引手３０は引手取付杆１１から抜脱不能に取り付けられる。
【００２３】
引手取付杆１１の基部１２は、胴体１の上翼板２における後口９側の上面に設けられており、上翼板２における基部１２の周辺に凹部２１が形成されている。凹部２１は、基部１２の左右両側と下側とに連続する形で形成し、基部１２と上翼板２との間に間隙部１４を形成している。すなわち基部１２は、凹部２１内における幅方向中央に配置され、基部１２の左右両側と下側上翼板２とは分離し、基部１２の肩口８側でのみ上翼板２と連結した形態となっている。さらに、凹部１２は基部１２を越えて胴体１の肩口８側へ向けて延設されており、胴体１の前後方向の略中央位置にまで形成されている。これにより、上翼板２は、基部１２と分離した第１上翼板部分２ａと、基部１２と同様にその左右両側と下側とに凹部２１が形成され、第１上翼板部分２ａとの間に間隙部１４が形成された第２上翼板部分２ｂとを有する。この間隙部１４を形成することによって、引手取付杆１１に取り付けられた引手３０に引張り力が加わったとき、例えば、引手３０を把持してスライダーを前後方向に摺動させたとき、引手取付杆１１に加わる張力が上翼板２における基部１２の周辺部分すなわち上翼板２の後口側部分に伝わり難くすることができ、引手取付杆１１の撓みが、胴体１の後口９側における上翼板２と下翼板３とで設定されているガイド溝６の口径Ｈに影響しないようにしている。
【００２４】
引手取付杆１１の先端部１３は、胴体１の上翼板２における肩口８側の上面と対向状に配置されており、胴体１へ向けて突出するとともに、その先端に内向すなわち後口９側へ向けて屈曲するフック部１８を有した係止部１６が形成されている。先端部１３と対向する胴体１の肩口８側の部分には、案内柱４の上面に、フック部１８が挿入し収納可能な凹陥部１５が形成されている。この凹陥部１５は、胴体１の前方側が開口し、左右両側に側壁を備えた形態である。また、凹陥部１５の後口９側に隣接する位置には、上翼板２の上面から突出する突片２２と、突片２２の先端から外向すなわち肩口８側へ向けて突出し、凹陥部１５の上方を覆うように配置されたフック部２３とを有する被係止部２０が形成されている。引手取付杆１１の先端部１３が胴体１に向けて接近する方向へ変形させられたときに、係止部１６のフック部１８が凹陥部１５内に挿入し、フック部１８と被係止部２０のフック部２３とが引っ掛ることにより、係止部１６と被係止部２０とが係止され、先端部１３と胴体１とが連結される。このとき、フック部１８の左右両側面が、凹陥部１５の左右側壁と対面状に配置されるので、引手取付杆１１に横方向の張力が加わっても、先端部１３の位置が横方向にずれることがなく、係止部１６と被係止部２０との係止が維持される。
【００２５】
また引手取付杆１１は、先端部１３よりも基部１２側の位置から突出し、胴体１の上翼板２の上面に向けて延びる突起部１７を有している。この突起部１７は、先端部１３との間隔を空けて平行状に配置されており、係止部１６と被係止部２０とが係止したときに、先端部１３と突起部１７との間に突片２２が配置される。突起部１７は突片２２の後口９側の面と対面し、かつ接しており、突片２２を肩口８側へ押圧して、フック部２３をフック部１８と引っ掛る方向へ付勢している。すなわち突片２２は先端部１３と突起部１７とによって胴体の前後方向から挟持され、係止部１６と被係止部２０との係止状態を強固にしている。また、突起部１７は、引手３０を把持して引張ったときに、引手３０の軸部３１と当接することにより、先端部１３が軸部３１と突起部１７との接点を中心にして、胴体１に接近しようとする回転力が生じ、これによりフック部１８とフック部２３とが密接する作用が働き、係止部１６と被係止部２０との係止状態が強固に維持されるようにしている。
【実施例１】
【００２６】
この発明における実施例１の引手後付けタイプのスライドファスナー用スライダーは、図１〜４に示すように、胴体１と、胴体１の上面に設けられた引手取付杆１１とを有し、胴体１と引手取付杆１１とがポリアセタール、ポリアミド、ポリプロピレン、ポリブチレンテレフタレートなどの熱可塑性樹脂を用いて射出成形手段によって成形する。スライダーにおける胴体１の形態は、上下に対向して配置した上翼板２と下翼板３とを肩口８側すなわち胴体１の前端側で案内柱４によって連結し、上翼板２と下翼板３との両サイドに対向する下翼板３または上翼板２へ向けて突出するフランジ５を設け、スライダーの内部に上翼板２と、下翼板３と、案内柱４と、フランジ５とで囲まれたガイド溝６を形成する。このガイド溝６内にファスナーエレメントが挿通し、スライダーをファスナーエレメントに沿って摺動させることによりファスナーエレメントを噛合または分離させることができる。
【００２７】
胴体１の上翼板２の上面には引手取付杆１１が立設され、この引手取付杆１１は、基部１２が胴体１の後口９側すなわち後端側から突出し、先端部１３が胴体１の肩口８側に向けて延びた片持状に形成されている。また、上翼板２には、引手取付杆１１の基部１２に対して左右両側に位置する部分と、下側に位置する部分とに連続して凹状の凹部２１が形成されている。この凹部２１は、胴体１の後口９側から肩口８側へ向けて、胴体１の前後方向の略中央位置にまで延設され、基部１２と凹部２１との間に空洞化した間隙部１４が形成される。この間隙部１４によって、後口９側の上翼板２は、基部１２に対して左右両側と下側とに配置され、基部１２と分離した第１上翼板部分２ａと、基部１２よりも肩口８側に配置され、基部１２と連結した第２上翼板部分２ｂとに分割された形態となる。間隙部１４を設けることにより、引手取付杆１１に引張り力が加わったとき、この引張り力が上翼板２の後口９には伝わらないようにすることができ、上翼板２が撓み変形することなく、後口９における上翼板２と下翼板３との間の高さ寸法Ｈ、すなわちガイド溝６の口径が拡開することがない。
【００２８】
一方、引手取付杆１１の先端部１３の形態は、引手取付杆１１の下面から胴体１の案内柱４へ向けて突出しており、内向すなわち基部１２側へ向けて屈曲したフック部１８を設け、このフック部１８が係止部１６を構成している。このフック部１８は案内柱４の上側すなわち胴体１の肩口８側の端部に形成した凹陥部１５に挿入することができる。また凹陥部１５に対して後口９側に隣り合う位置には、外向すなわち胴体１の肩口８側へ向けて突出するフック部２３を備えた突片２２が形成され、このフック部２３が係止部１６と係止可能な被係止部２０を構成している。さらに引手取付杆１１には先端部１３よりも内側すなわち基部１２側の位置に、先端部１３と平行状に突起部１７を設け、突片２２をその背面側すなわち胴体１の中央側から押圧し、先端部１３と突起部１７との間で突片２２を挟持する。引手取付杆１１の内側に挿入された引手３０の軸部３１は、胴体１の前方への移動の際は突起部１７で軸部３１を受け止め、この受け止め動作によって、引手取付杆１１の先端部１３に設けたフック部１８が、胴体１に設けた凹陥部１５に対し深く入り込む作用が生じ、係止部１６と被係止部２０とを強固に係止する。また引手取付杆１１の先端部１３におけるフック部１８は、凹陥部１５の左右両側壁面によって左右方向にずれ動くことがなく、引手取付杆１１が横方向へ引張られても係止部１６と被係止部２０の係止状態が維持される。
【００２９】
凹陥部１５は、案内柱４の上側部分において、前面すなわち肩口８側の面が開口する形に切欠かれている。この部分は胴体１の上下方向において最も肉厚の厚い部分であることから、凹陥部１５を形成しても胴体１の強度を著しく低下させることがない。また、先端部１３が胴体１へ接近する方向へ変形する際に、フック部１８を凹陥部１５内へ入り込み易くすることができる。凹陥部15の後面すなわち後口９側の面の上方には突片２２が配置されている。この突片２２の下面に形成するフック部２３は、凹陥部１５の上方を覆うように突設されるとともに、凹陥部１５の左右側壁間を跨いで架設されている。これにより、フック部２３は、凹陥部１５の周辺において、後口９側と左右両側とで上翼板２の上面と連結することになり、頑丈な形態とすることができる。凹陥部１５は、胴体１の前後方向に、フック部１８を収容するための十分な広さを有しており、フック部１８が凹陥部１５内に入り込んだとき、先端部１３の前面と案内柱４の前面とを同一垂直面内に位置させることができる。よって、先端部１３は案内柱４の前面よりも前方側へ突出することがなく、先端部１３が他物に引っ掛る弊害をなくし、体裁のよいスライダーに仕上げることができる。
【００３０】
完成された引手後付けタイプのスライダーに引手３０を装着するには、図２に示すように、引手３０を取り付ける前は、引手取付杆１１の先端部１３と、胴体１の案内柱４の上面に形成した突片２２との間に、引手３０の軸部３１が挿通できる間隙を設け、この間隙を利用して胴体１の肩口８側から引手３０の軸部３１を引手取付杆１１の内側に挿通し、挿通した後において図３に示すように、引手取付杆１１を上方から押圧して先端部１３に設けたフック部１８を、胴体１に設けた凹陥部１５に架設した突片２２に設けたフック部２３を備えた被係止部２０とを係止させる。これにより間隙が閉鎖され、引手３０は引手取付杆１１から抜脱不能となる。
【００３１】
引手３０を装着したスライダーは、ファスナーチエンを閉鎖する方向すなわち図３に示す胴体１の肩口側８へスライダーを摺動させると、引手３０の軸部３１は図面で二点鎖線で示したように突起部１７の基部に当接し、引手取付杆１１を斜上方へ引張ると、突起部１７と軸部３１の接点を中心として、引手取付杆１１の先端部１３と胴体１へ接近させようとする回転力が生じる。これにより、引手取付杆１１の先端部１３に設けたフック部１８を胴体１の凹陥部１５へ後口９側へ向けて深く入り込ませる撓み変形が生じ、係止部１６と被係止部２０とを強固に係止させる。またファスナーチエンを分離する方向すなわち図３に示す胴体１の後口９側へスライダーを摺動させると、引手３０の軸部３１は図示の如く引手取付杆１１を後方の斜上方へ引張り、引手取付杆１１を上方へ多少撓ませるが、先端部１３と突起部１７とが突片２２を前後から挟持していることにより、係止部１６と被係止部２０との係止状態が解除されることがない。また引手取付杆１１の上方への撓みに伴なって、胴体１の後口９側における上翼板２と下翼板３との間の口径Ｈには何ら影響を与えないので、ファスナーチエンは円滑に左右に分離させることができる。
【実施例２】
【００３２】
図５に示す実施例２の引手後付けタイプのスライドファスナー用スライダーは、実施例１に示したスライダーにおける引手取付杆１１の突起部１７と案内柱４の上面に形成した突片２２との形態を改良したものであり、その他の形態は実施例１のスライダーの形態と同一である。実施例２について説明すると、引手取付杆１１の先端部１３に内向のフック部１８を設け、このフック部１８の上面に係止部１６を形成し、そして先端部１３の内側に先端部１３と平行状に配置された突起部１７を引手取付杆１１から突出させて、案内柱４の上面に設けた突片２２を先端部１３と突起部１７とによって挟持する。
【００３３】
一方、案内柱４の上面には案内柱４の前面を切欠した凹陥部１５を設け、この凹陥部１５に対して後口９側に隣り合う位置に、先端にフック部２３を設けた突片２２を突設し、フック部２３の下面に被係止部２０を形成する。凹陥部１５に引手取付杆１１の先端部１３に設けたフック部１８を挿入し、係止部１６と被係止部２０とを係止させる。このときフック部１８は凹陥部１５の左右両側壁面によって、左右方向にはずれ動くことがない。
【００３４】
そして突起部１７の先端の突片２２と接触する側の面にフック状に突出する第２係止部１９を設け、また突片２２には突起部１７と接触する側の面すなわちフック部２３を設けた面とは反対側の面にフック状に突出する第２被係止部２４を設けて、第２係止部１９と第２被係止部２４とを係止して固定する。引手３０の軸部３１が突起部１７の基部に当接したとき、突起部１７の第２係止部１９と突片２２の第２被係止部２４とが強固に係止し、かつ突片２２に形成した被係止部２０と先端部１３の係止部１６とは、前例と同様に先端部１３に設けたフック部２３が、案内柱４の上面に設けた凹陥部１５に対し、奥深く入り込む作用が生じ、強固に係止する。従って胴体１と引手取付杆１１との固定は、２個所に設置した係止部分によって、頑丈に固定され、引手３０を如何なる方向から引張っても円滑にスライダーを摺動させることができる。
【産業上の利用可能性】
【００３５】
この発明の引手後付けタイプのスライドファスナー用スライダーは、衣服、カバンなどを取り扱う業者が、自分たちが希望するデザインまたはブランドの引手を、需要者自身が自由かつ容易に、ファスナーチエンに装備され、または装備されていないスライダーに引手を取り付け、商品を完成して販売する。
【図面の簡単な説明】
【００３６】
【図１】実施例１に基づく、引手後付けタイプのスライドファスナー用スライダーの斜視図である。
【図２】同上のスライダーであって、引手を取り付ける前の断面図である。
【図３】同上のスライダーであって、引手を取り付けた後の断面図である。
【図４】同上のスライダーであって、図３におけるＡ−Ａ断面図である。
【図５】実施例２に基づく、スライダーの胴体および引手取付杆の一部を示す要部の断面図である。
【図６】公知のスライダーの引手取り付け前の胴体の一部切欠した正面図である。
【図７】他の公知のスライダーの引手取り付け前の胴体と引手を示す正面図である。
【符号の説明】
【００３７】
１      胴体
２      上翼板
２ａ    第１上翼板部分
２ｂ    第２上翼板部分
３      下翼板
４      案内柱
８      肩口
９      後口
１１    引手取付杆
１２    基部
１３    先端部
１４    間隙部
１５    凹陥部
１６    係止部
１７    突起部
１８    フック部（引手取付杆側）
１９    第２係止部
２０    被係止部
２１    凹部
２２    突片
２３    フック部（胴体側）
２４    第２被係止部
【図１】
2008200277.tif 000003
【図２】
2008200277.tif 000004
【図３】
2008200277.tif 000005
【図４】
2008200277.tif 000006
【図５】
2008200277.tif 000007
【図６】
2008200277.tif 000008
【図７】
2008200277.tif 000009